【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
撮像素子と、前記撮像素子に像を形成するためのズームレンズを有する撮像装置において、前記ズームレンズは、物体側から像側へ順に、正の屈折力の第１１レンズ群、負の屈折力の第１２レンズ群を有する前群と、光路を折り曲げる反射部材を含む正の屈折力の中間群と、複数のレンズ群よりなる後群からなり、前記中間群は前記反射部材の物体側と像側にそれぞれ正の屈折力のレンズ成分を有しており、ズーミングに際して隣り合うレンズ群の間隔が変化するように前記第１１レンズ群と前記第１２レンズ群と前記後群を構成する１以上のレンズ群が移動し、前記中間群は不動であり、前記撮像素子は移動し、広角端から望遠端へのズーミングにおける前記第１１レンズ群と前記撮像素子の移動量をそれぞれＭ１１、ＭＳとするとき、
−３．０＜Ｍ１１／ＭＳ＜−０．１
なる条件を満足することを特徴とする撮像装置。
【請求項２】
前記中間群は、物体側から像側へ順に、第２１レンズ成分、反射部材、負レンズと正レンズを含む第２２レンズ成分より構成され、前記第２１レンズ成分の像側のレンズ面と前記第２２レンズ成分の物体側のレンズ面の光軸に沿った距離をｄＢａｂ、前記中間群の焦点距離をｆＢとするとき、
０．６＜ｄＢａｂ／ｆＢ＜０．９
なる条件を満足することを特徴とする請求項１の撮像装置。
【請求項３】
前記第１２レンズ群の焦点距離をｆ１２、望遠端における全系の焦点距離をｆｔとするとき、
−０．２０＜ｆ１２／ｆｔ＜−０．０２
なる条件を満足することを特徴とする請求項１又は２に記載の撮像装置。
【請求項４】
前記中間群は、物体側から像側へ順に、正レンズよりなる第２１レンズ成分、反射部材、複数のレンズよりなる第２２レンズ成分より構成され、前記第２１レンズ成分の焦点距離をｆＢ２１、前記中間群の焦点距離をｆＢとするとき、
０．７＜ｆＢ２１／ｆＢ＜１．５
なる条件を満足することを特徴とする請求項１乃至３のいずれか１項に記載の撮像装置。
【請求項５】
前記中間群は、物体側から像側へ順に、正レンズよりなる第２１レンズ成分、反射部材、負レンズと正レンズよりなる第２２レンズ成分より構成され、前記第２２レンズ成分の正レンズの焦点距離をｆＢ２２Ｐ、前記第２１レンズ成分の焦点距離をｆＢ２１とするとき、
０．３＜ｆＢ２１／ｆＢ２２Ｐ＜１．０
なる条件を満足することを特徴とする請求項１乃至４のいずれか１項に記載の撮像装置。
【請求項６】
前記前群は、物体側から像側へ順に、正の屈折力の第１１レンズ群、負の屈折力の第１２レンズ群より構成され、前記後群は、物体側から像側へ順に、負の屈折力の第３１レンズ群、正の屈折力の第３２レンズ群より構成され、広角端から望遠端へのズーミングに際して、前記第１１レンズ群は像側へ凸状の軌跡で移動し、前記第１２レンズ群は像側へ移動し、前記第３１レンズ群は移動し、前記第３２レンズ群は物体側に凸状の軌跡で移動し、前記撮像素子は像側へ移動することを特徴とする請求項１乃至５のいずれか１項に記載の撮像装置。
【請求項７】
前記前群は、物体側から像側へ順に、正の屈折力の第１１レンズ群、負の屈折力の第１２レンズ群、正の屈折力の第１３レンズ群より構成され、前記後群は、物体側から像側へ順に、負の屈折力の第３１レンズ群、正の屈折力の第３２レンズ群より構成され、広角端から望遠端へのズーミングに際して、前記第１１レンズ群は像側へ凸状の軌跡で移動し、前記第１２レンズ群は像側へ移動し、前記第１３レンズ群は像側へ移動し、前記第３１レンズ群は移動し、前記第３２レンズ群は物体側に凸状の軌跡で移動し、前記撮像素子は像側へ移動することを特徴とする請求項１乃至５のいずれか１項に記載の撮像装置。
【手続補正２】
【補正対象書類名】明細書
【補正対象項目名】００１３
【補正方法】変更
【補正の内容】
【００１３】
本発明の撮像装置は、撮像素子と、前記撮像素子に像を形成するためのズームレンズを有する撮像装置において、前記ズームレンズは、物体側から像側へ順に、正の屈折力の第１１レンズ群、負の屈折力の第１２レンズ群を有する前群と、光路を折り曲げる反射部材を含む正の屈折力の中間群と、複数のレンズ群よりなる後群からなり、前記中間群は前記反射部材の物体側と像側にそれぞれ正の屈折力のレンズ成分を有しており、ズーミングに際して隣り合うレンズ群の間隔が変化するように前記第１１レンズ群と前記第１２レンズ群と前記後群を構成する１以上のレンズ群が移動し、前記中間群は不動であり、前記撮像素子は移動し、広角端から望遠端へのズーミングにおける前記第１１レンズ群と前記撮像素子の移動量をそれぞれＭ１１、ＭＳとするとき、
−３．０＜Ｍ１１／ＭＳ＜−０．１
なる条件を満足することを特徴としている。
【手続補正３】
【補正対象書類名】明細書
【補正対象項目名】００１６
【補正方法】変更
【補正の内容】
【００１６】
以下、本発明の撮像装置について説明する。本発明の撮像装置は、撮像素子と、撮像素子に像を形成するためのズームレンズを有する。ズームレンズは、物体側から像側へ順に、正の屈折力の第１１レンズ群、負の屈折力の第１２レンズ群を有する前群と、光路を折り曲げる反射部材を含む正の屈折力の中間群と、複数のレンズ群よりなる後群からなる。中間群は反射部材の物体側と像側にそれぞれ正の屈折力のレンズ成分を有する。ズーミングに際して隣り合うレンズ群の間隔が変化するように第１１レンズ群と第１２レンズ群と後群を構成する１以上のレンズ群と撮像素子が移動し、中間群は不動である。
【手続補正４】
【補正対象書類名】明細書
【補正対象項目名】００６６
【補正方法】変更
【補正の内容】
【００６６】
非球面データ
第7面
K =-4.48810e+000  A 4= 3.21160e-003  A 6=-8.29023e-005  A 8= 1.12054e-006  A10= 6.17957e-008 
第13面
K =-1.26401e+000  A 4= 6.33284e-004  A 6= 5.60851e-005  A 8= 2.78063e-006  A10=-2.00427e-008 
第14面
K =-3.29161e+001  A 4= 7.34200e-004  A 6= 4.12106e-005  A 8= 7.70419e-006  A10=-9.47029e-008 
各種データ
ズーム比     9.55
広角     中間     望遠
焦点距離       5.13    19.65    49.01 
Fナンバー      3.32     5.25     6.09
半画角（度）  33.01    11.15     4.52 
像高           3.33     3.88     3.88
レンズ全長    49.73    56.59    68.74 
BF             3.23    10.76     6.49 
d 5            0.94    10.26    20.36 
d11           12.15     2.58     0.90 
d12            3.30     0.90     0.90 
d20            1.40     2.55     1.62 
d23            2.57     3.40    12.33 
d25            1.81     9.34     5.07 
ズームレンズ群データ
群  始面    焦点距離
1    1      36.01
2    6      -6.45
3   12       ∞
4   13       9.73
5   21     -15.73
6   24      22.90
7   26       ∞
【手続補正５】
【補正対象書類名】明細書
【補正対象項目名】００６８
【補正方法】変更
【補正の内容】
【００６８】
非球面データ
第7面
K =-3.78615e+000  A 4= 2.62233e-003  A 6=-7.51826e-005  A 8= 3.30480e-006  A10=-6.77198e-008 
第13面
K =-1.21001e+000  A 4= 5.77973e-004  A 6= 9.40097e-006  A 8= 1.91372e-006  A10= 1.17688e-007 
第14面
K =-1.40339e+001  A 4= 7.14031e-004  A 6= 2.18608e-005  A 8=-1.63756e-007  A10= 3.60613e-007 
各種データ
ズーム比    18.40
広角     中間     望遠
焦点距離       5.16    18.57    94.99 
Fナンバー      3.35     5.32     6.09
半画角（度）  32.85    11.79     2.34
像高           3.33     3.88     3.88 
レンズ全長    56.73    63.48    76.02 
BF             5.34    12.63     5.54 
d 5            0.94    10.38    25.37 
d11           16.53     6.55     0.77 
d12            3.30     0.79     1.14 
d20            1.40     3.69     3.34 
d23            3.00     3.23    13.66 
d25            4.05    11.34     4.25 
ズームレンズ群データ
群  始面    焦点距離
1    1      37.36
2    6      -6.04
3   12       ∞
4   13      10.68
5   21     -14.02
6   24      23.02
7   26       ∞
【手続補正６】
【補正対象書類名】明細書
【補正対象項目名】００７０
【補正方法】変更
【補正の内容】
【００７０】
非球面データ
第7面
K =-4.90621e+000  A 4= 2.48308e-003  A 6=-9.27302e-005  A 8= 4.76316e-006  A10=-8.98704e-008 
第13面
K =-3.45856e+000  A 4= 6.11935e-004  A 6=-2.11401e-005  A 8= 3.01340e-007  A10= 1.97577e-007 
第14面
K =-1.09462e+000  A 4= 2.49295e-004  A 6= 2.90298e-005  A 8=-5.16341e-006  A10= 4.43977e-007 
各種データ
ズーム比    13.33
広角     中間     望遠
焦点距離       5.25    25.95    70.00 
Fナンバー      2.48     5.44     6.09
半画角（度）  32.39     8.49     3.17
像高           3.33     3.88     3.88 
レンズ全長    51.09    67.26    99.71 
BF             1.69     2.15     3.23 
d 5            0.94    21.02    53.21 
d11           15.54     3.43     0.85 
d12            3.30     0.89     0.89 
d20            1.40     4.61     5.00 
d23            1.47     8.43     9.79 
d25            0.60     1.06     2.15 
ズームレンズ群データ
群  始面    焦点距離
1    1      90.39
2    6      -8.75
3   12       ∞
4   13       9.33
5   21     -10.00
6   24      25.00
7   26       ∞
【手続補正７】
【補正対象書類名】明細書
【補正対象項目名】００７２
【補正方法】変更
【補正の内容】
【００７２】
非球面データ
第7面
K =-4.18103e+000  A 4= 2.88701e-003  A 6=-9.06177e-005  A 8= 3.72278e-006  A10=-7.19455e-008 
第15面
K =-1.21545e+000  A 4= 6.12594e-004  A 6= 5.43284e-005  A 8= 2.46719e-006  A10= 2.68219e-007 
第16面
K =-1.70969e+001  A 4= 6.25089e-004  A 6= 6.19802e-005  A 8= 3.10361e-006  A10= 5.08080e-007 
各種データ
ズーム比     9.56
広角     中間     望遠
焦点距離       5.13    17.39    49.01 
Fナンバー      3.53     5.25     6.09
半画角（度）  33.02    12.56     4.52
像高           3.33     3.88     3.88 
レンズ全長    49.73    55.53    65.07 
BF             2.01     9.62     6.72 
d 5            0.94     9.28    19.09 
d11           13.91     4.46     1.11 
d14            2.00     0.30     0.20 
d22            1.40     1.50     2.80 
d25            2.46     3.38     8.15 
d27            0.59     8.19     5.29 
ズームレンズ群データ
群  始面    焦点距離
1    1      34.06
2    6      -6.17
3   12      73.82
4   15      11.01
5   23     -18.99
6   26      21.31
7   28       ∞